(57)【要約】【課題】利用者の手作業の操作だけで画像データを用いた処理の変更内容を逐一入力する場合に比べて、利用者が画像処理装置への処理の指示を容易にすることのできる仕組みを提供する。【解決手段】作業者は、コンテンツを示すコンテンツデータと画像データを用いた処理の内容を示す処理内容データとが書き込まれたコンテンツカードと、コンテンツに対する変更内容を示す変更内容データが書き込まれた変更指示カードとを重ねてリーダー・ライター２０にかざす。リーダー・ライター２０によって２枚のカードに書き込まれたデータがそれぞれ読み取られると、画像処理装置１０の制御部１２は、リーダー・ライター２０から出力されるデータに基づいて、コンテンツカードに書き込まれたコンテンツデータの内容を変更内容データに基づいて変更し、変更したコンテンツデータに対して処理を施す。【選択図】図１
2018047708.tif 000002
【特許請求の範囲】
【請求項１】
画像データを用いた処理を行う処理手段と、
利用者が携帯可能な記憶媒体に記憶されているデータを読み取る読取手段からデータを取得するデータ取得手段と、
利用者が携帯可能な第１の記憶媒体と利用者が携帯可能な第２の記憶媒体との組み合わせに対し前記読取手段による読取が行われることにより、前記データ取得手段が、前記読取手段から、該第１の記憶媒体から読み取られた、前記処理手段により処理されるデータであるコンテンツデータと、該第２の記憶媒体から読み取られた、前記コンテンツデータに対する変更を指示する変更指示データとの組み合わせを取得した場合に、前記コンテンツデータを該変更指示データに従い変更して得られるコンテンツデータに対する処理を、前記処理手段に指示する処理指示手段と、
利用者が携帯可能な記憶媒体にデータを書き込む書込手段に対し、前記第１の記憶媒体に記憶されているコンテンツデータを前記変更指示データに従い書き換える指示を行う書換指示手段と
を備え、
前記データ取得手段は、前記読取手段から、前記書換指示手段による指示に従い前記書込手段により書き換えられたコンテンツデータを取得し、
前記処理指示手段は、前記処理の指示において、前記データ取得手段により取得されたコンテンツデータに対する処理を指示する
画像処理装置。
【請求項２】
操作者の操作内容に応じた操作データを出力する操作手段から操作データを取得する操作データ取得手段と、
前記書込手段に対し、前記操作データに応じたデータの書き込みを指示する書込指示手段と
を更に備える請求項１に記載の画像処理装置。
【請求項３】
前記書込手段に対し、前記処理手段により行われた処理の結果を示す処理結果データの前記第１の記憶媒体に対する書き込みを指示する書込指示手段
を更に備える請求項１に記載の画像処理装置。
【請求項４】
コンピュータを、
画像データを用いた処理を行う処理手段と、
利用者が携帯可能な記憶媒体に記憶されているデータを読み取る読取手段からデータを取得するデータ取得手段と、
利用者が携帯可能な第１の記憶媒体と利用者が携帯可能な第２の記憶媒体との組み合わせに対し前記読取手段による読取が行われることにより、前記データ取得手段が、前記読取手段から、該第１の記憶媒体から読み取られた、前記処理手段により処理されるデータであるコンテンツデータと、該第２の記憶媒体から読み取られた、前記コンテンツデータに対する変更を指示する変更指示データとの組み合わせを取得した場合に、前記コンテンツデータを該変更指示データに従い変更して得られるコンテンツデータに対する処理を、前記処理手段に指示する処理指示手段と、
利用者が携帯可能な記憶媒体にデータを書き込む書込手段に対し、前記第１の記憶媒体に記憶されているコンテンツデータを前記変更指示データに従い書き換える指示を行う書換指示手段
として機能させるためのプログラムであって、
前記データ取得手段は、前記読取手段から、前記書換指示手段による指示に従い前記書込手段により書き換えられたコンテンツデータを取得し、
前記処理指示手段は、前記処理の指示において、前記データ取得手段により取得されたコンテンツデータに対する処理を指示する
プログラム。
【発明の詳細な説明】
【技術分野】
【０００１】
本発明は、画像処理装置及びプログラムに関する。
【背景技術】
【０００２】
ＩＣカードを用いて画像形成装置を操作する仕組みが提案されている。例えば特許文献１には、ＩＣカードリーダーを持つＰＣ上に仮想的な操作パネルを用意し、デジタル複写機のオペレーションをＩＣカードに記憶させ、ユーザが、ＩＣカードをデジタル複写機のＩＣカードリーダーにかざすことによって記憶された処理を実行させることが記載されている。
【先行技術文献】
【特許文献】
【０００３】
【特許文献１】特開２００６−１９５８８８号公報
【発明の概要】
【発明が解決しようとする課題】
【０００４】
本発明は、利用者の手作業の操作だけで画像データを用いた処理の変更内容を逐一入力する場合に比べて、利用者が画像処理装置への処理の指示を容易にすることのできる仕組みを提供することを目的とする。
【課題を解決するための手段】
【０００５】
本発明の請求項１に係る画像処理装置は、画像データを用いた処理を行う処理手段と、利用者が携帯可能な記憶媒体に記憶されているデータを読み取る読取手段からデータを取得するデータ取得手段と、利用者が携帯可能な第１の記憶媒体と利用者が携帯可能な第２の記憶媒体との組み合わせに対し前記読取手段による読取が行われることにより、前記データ取得手段が、前記読取手段から、該第１の記憶媒体から読み取られた、前記処理手段により処理されるデータであるコンテンツデータと、該第２の記憶媒体から読み取られた、前記コンテンツデータに対する変更を指示する変更指示データとの組み合わせを取得した場合に、前記コンテンツデータを該変更指示データに従い変更して得られるコンテンツデータに対する処理を、前記処理手段に指示する処理指示手段と、利用者が携帯可能な記憶媒体にデータを書き込む書込手段に対し、前記第１の記憶媒体に記憶されているコンテンツデータを前記変更指示データに従い書き換える指示を行う書換指示手段とを備え、前記データ取得手段は、前記読取手段から、前記書換指示手段による指示に従い前記書込手段により書き換えられたコンテンツデータを取得し、前記処理指示手段は、前記処理の指示において、前記データ取得手段により取得されたコンテンツデータに対する処理を指示することを特徴とする。
【０００６】
本発明の請求項２に係る画像処理装置は、請求項１に記載の構成において、操作者の操作内容に応じた操作データを出力する操作手段から操作データを取得する操作データ取得手段と、前記書込手段に対し、前記操作データに応じたデータの書き込みを指示する書込指示手段とを更に備えることを特徴とする。
【０００７】
本発明の請求項３に係る画像処理装置は、請求項１に記載の構成において、前記書込手段に対し、前記処理手段により行われた処理の結果を示す処理結果データの前記第１の記憶媒体に対する書き込みを指示する書込指示手段を更に備えることを特徴とする。
【０００８】
本発明の請求項４に係るプログラムは、コンピュータを、画像データを用いた処理を行う処理手段と、利用者が携帯可能な記憶媒体に記憶されているデータを読み取る読取手段からデータを取得するデータ取得手段と、利用者が携帯可能な第１の記憶媒体と利用者が携帯可能な第２の記憶媒体との組み合わせに対し前記読取手段による読取が行われることにより、前記データ取得手段が、前記読取手段から、該第１の記憶媒体から読み取られた、前記処理手段により処理されるデータであるコンテンツデータと、該第２の記憶媒体から読み取られた、前記コンテンツデータに対する変更を指示する変更指示データとの組み合わせを取得した場合に、前記コンテンツデータを該変更指示データに従い変更して得られるコンテンツデータに対する処理を、前記処理手段に指示する処理指示手段と、利用者が携帯可能な記憶媒体にデータを書き込む書込手段に対し、前記第１の記憶媒体に記憶されているコンテンツデータを前記変更指示データに従い書き換える指示を行う書換指示手段として機能させるためのプログラムであって、前記データ取得手段は、前記読取手段から、前記書換指示手段による指示に従い前記書込手段により書き換えられたコンテンツデータを取得し、前記処理指示手段は、前記処理の指示において、前記データ取得手段により取得されたコンテンツデータに対する処理を指示するプログラムであることを特徴とする。
【発明の効果】
【０００９】
請求項１に係る発明によれば、記憶媒体にデータを書き込む書込手段に対し、第１の記憶媒体に記憶されているコンテンツデータを変更指示データに従い書き換える指示を行わない場合と比べて、記憶媒体に書き込まれたコンテンツデータの書き換えが容易になる。
請求項２に係る発明によれば、記憶媒体にデータを書き込む書込手段に対し、操作データに応じたデータの書き込みを指示しない場合と比べて、画像処理装置への処理の指示を行うための記憶媒体を容易に作成することができる。
請求項３に係る発明によれば、記憶媒体にデータを書き込む書込手段に対し、処理手段により行われた処理の結果を示す処理結果データの第１の記憶媒体に対する書き込みを指示しない場合と比べて、作業者による作業結果を把握し易くすることができる。
請求項４に係る発明によれば、記憶媒体にデータを書き込む書込手段に対し、第１の記憶媒体に記憶されているコンテンツデータを変更指示データに従い書き換える指示を行わない場合と比べて、記憶媒体に書き込まれたコンテンツデータの書き換えが容易になる。
【図面の簡単な説明】
【００１０】
【図１】システムの全体構成を示す概略図。
【図２】画像形成装置１０のハードウェア構成を示すブロック図。
【図３】リーダー・ライターのハードウェア構成の一例を示すブロック図。
【図４】システムの機能構成を示すブロック図。
【図５】コンテンツ変更処理の流れを示すフローチャート。
【図６】パラメータ変更処理で用いられるＩＣカードの一例を示す図。
【図７】パラメータ変更処理の流れを示すフローチャート。
【図８】パラメータ変更処理の流れを示すシーケンスチャート。
【図９】カード発行処理を説明するための図。
【図１０】カード発行処理の流れを示すシーケンスチャート。
【図１１】カード内容確認・編集処理の流れを示すフローチャート。
【図１２】カード内容確認・編集処理を説明するための図。
【図１３】カード内容確認・編集処理の流れを示すフローチャート。
【図１４】カード内容確認・編集処理の流れを示すシーケンスチャート。
【図１５】実行履歴記録処理の流れを示すシーケンスチャート。
【発明を実施するための形態】
【００１１】
［構成］
図１は、本発明の一実施形態に係るシステム１の全体構成を示すブロック図である。システム１は、画像形成装置１０と、リーダー・ライター２０とが、ＵＳＢケーブル等のケーブルにより接続されている。画像形成装置１０（画像処理装置の一例）は、用紙等の記録媒体に画像を形成する画像形成機能、画像を複写する複写機能、記録媒体に形成されている画像を読み取るスキャン機能などを備えている。画像形成装置１０が備える機能はこれらの機能に限定されるものではなく、例えばファクシミリ機能を備えていてもよい。また、画像形成装置１０は、上述した機能を全て備えているものに限定されず、例えば、画像形成機能及び複写機能を備えており、他の機能を備えていない構成であってもよい。リーダー・ライター２０は、近距離無線通信によりＮＦＣタグから各種データを読み出したり、ＮＦＣタグに対し各種データの書き込みを指示したりする。
【００１２】
この実施形態では、利用者はＮＦＣタグを含むＩＣカードをリーダー・ライター２０にかざすことによって画像形成装置１０に対する操作を行うことができるようになっている。利用者が用いるＩＣカードには、画像形成装置１０に対する画像データを用いた処理の指示内容を示すデータ（以下「指示内容データ」という）が書き込まれており、画像形成装置１０はリーダー・ライター２０によって読み取られたデータに基づいて各種の処理を実行する。指示内容データとしては、例えば、「コピー（１部）」や「スキャン」、「コピー（２０部）」、「ファクシミリ送信（宛先：ｘｘｘ）」といった処理内容を示すデータ（以下「処理内容データ」という）が用いられる。また、ＩＣカードには、例えば名刺の画像を表すデータ等、画像形成装置１０が行う画像形成処理の処理対象である文書や画像を表すデータ（以下「コンテンツデータ」という）が書き込まれていてもよい。ＩＣカードは、作業者毎やその作業内容の種別毎に複数用意されており、作業者は、自身が画像形成装置１０を用いて行いたい処理に対応するＩＣカードを選択し、選択したＩＣカードをリーダー・ライター２０に読み取らせる。リーダー・ライター２０は、ＩＣカードから読み取ったデータを画像形成装置１０へ出力し、画像形成装置１０では、リーダー・ライター２０から出力されるデータに対応する処理を実行する。
【００１３】
次いで、図２を参照しつつ、画像形成装置１０のハードウェア構成の一例について説明する。図示のように、画像形成装置１０の各部はバス１１に接続され、バス１１を介して各部間でデータの遣り取りを行う。制御部１２は、ＣＰＵ（Central Processing Unit）
等の演算装置と、ＲＯＭ（Read Only Memory）及びＲＡＭ（Random Access Memory）など
の主記憶装置とを備えている。演算装置は、ＲＡＭをワークエリアとして用いてＲＯＭや記憶部１４に記憶されたプログラムを実行することによって、画像形成装置１０の各部の動作を制御する。通信部１３はパーソナルコンピュータ等の他の装置と通信を行う。記憶部１４は、例えばハードディスク等の記憶デバイスであり、制御部１２が用いるデータやプログラムを記憶している。
【００１４】
ＵＩ部１５は、各種のキーやタッチセンサなどの操作子を備え、利用者の操作に応じた操作情報を制御部１２に供給する。制御部１２は、この操作情報に応じた処理を行う。また、ＵＩ部１５は、液晶パネルや液晶駆動回路を備え、制御部１２による制御の下で画像を表示する。画像形成部１６は、電子写真方式で用紙等の記録媒体に画像を形成する。画像読取部１７は、原稿の画像を光学的に読み取る。入出力部１８は、ＵＳＢケーブル等のケーブルによりリーダー・ライター２０と接続され、リーダー・ライター２０とデータの遣り取りを行う。
【００１５】
次いで、図３を参照しつつ、リーダー・ライター２０のハードウェア構成の一例について説明する。図示のように、リーダー・ライター２０の各部はバス２１に接続され、バス２１を介して各部間でデータの遣り取りを行う。制御部２２は、プロセッサ等の演算装置と、ＲＯＭ及びＲＡＭなどの主記憶装置とを備えている。演算装置は、後述の画像形成装置１０のリーダー・ライター２０から入力される制御信号に従い、ＲＡＭをワークエリアとして用いてＲＯＭに記憶されたプログラムを実行することによって、リーダー・ライター２０の各部の動作を制御する。入出力部２３は、ケーブルにより画像形成装置１０と接続され、画像形成装置１０とデータの遣り取りを行う。カード読書部２４は、近距離無線通信によりＩＣカードに記録されたデータを読み取ったり、データを書き込んだりする。リーダー・ライター２０は複数枚のＩＣカードを重ねて読み取ることが可能である。複数枚のＩＣカードが重ねられてかざされた場合は、制御部２２は、複数のカードを順番に読み込み、順番に読み込んだデータを画像形成装置１０へ出力する。
【００１６】
図４は、システム１の機能構成を示す図である。画像形成装置１０は、制御部１２又は制御部１２と入出力部１８により、処理制御部１２０、リーダー・ライター制御部１２１、カード情報管理部１２２、状態管理部１２３、指示書生成部１２４、指示書編集部１２５、処理監視部１２６、ＵＩ制御部１２７を実現する。処理制御部１２０（処理手段、処理指示手段の一例）は、画像読取部１７や画像形成部１６を制御し、利用者によって指示された画像処理を実行する。具体的には、例えば、「スキャン」を指示された場合には、処理制御部１２０は、画像読取部１７を制御して画像の読み取りを行わせる。また、「コピー」が指示された場合には、処理制御部１２０は、画像読取部１７を制御して画像の読み取りを行わせ、読み取った画像を表すデータを画像形成部１６へ供給して画像形成を行わせる。
【００１７】
リーダー・ライター制御部１２１（データ取得手段、書換指示手段、書込指示手段の一例）は、リーダー・ライター２０の制御部２２に制御信号を出力することで、リーダー・ライター２０を制御し、リーダー・ライター２０からのデータの読み出しやデータの書き込みを行う。カード情報管理部１２２は、リーダー・ライター２０によってＩＣカードから読み取られたデータを保持する。カード情報管理部１２２にはデータを保持するためのメモリが割り当てられており、一連の処理が終わるまで読み取られたデータをメモリに保持する。状態管理部１２３は、読み取られたカードの種別や組み合わせを判定する。指示書生成部１２４は、読み取られたデータに基づいて画像データを用いた処理（以下「画像処理」という）の指示内容を示すデータ（指示書）を生成し、生成したデータを処理制御部１２０に供給する。指示書編集部１２５（変更手段の一例）は、状態管理部１２３からの依頼に応じて画像処理の指示内容を示すデータを編集する。処理監視部１２６は、処理制御部１２０によって制御される画像処理の実行状況を監視し、実行結果を示すデータを
生成する。ＵＩ制御部１２７（報知手段の一例）は、ＵＩ部１５を制御し、ＵＩ部１５と操作情報の遣り取りを行う。
【００１８】
［動作］
次いで、実施形態の動作について説明する。以下の説明では、「コンテンツ変更処理」、「パラメータ変更処理」、「カード発行処理」、「カード内容確認・編集処理」、「実行履歴記録処理」の５つの処理について順に説明する。「コンテンツ変更処理」はＩＣカードに書き込まれたコンテンツデータの書換えを行うものである。「パラメータ変更処理」はＩＣカードに書き込まれた処理内容データのパラメータを変更して画像処理を行うものである。「カード発行処理」は画像形成装置１０を操作するためのＩＣカードの発行を行うものである。「カード内容確認・編集処理」はＩＣカードに書き込まれた処理内容を利用者が確認するものである。「実行履歴記録処理」は作業者による作業結果（処理結果）をＩＣカードに記録し、作業を管理する管理者が事後確認するものである。
【００１９】
［コンテンツ変更処理］
まず、ＩＣカードに書き込まれたコンテンツデータの内容を変更する場合の動作の一例について説明する。この動作例では、ＩＣカードとして、名刺の発行業務用に作成されたカードを用いる。各ＩＣカードには従業員のそれぞれの名刺に記載される内容を表すコンテンツデータ（例えば、氏名、部署名、連絡先、等を示すテキストデータや画像データ）が格納されているとともに、画像形成装置１０に対して指示する処理内容（例えば、名刺を１００枚印刷、等）を示す処理内容データが格納されている。
【００２０】
例えば会社で組織変更が行われて複数の従業員の部署名が変更された場合、複数の従業員のＩＣカードに書き込まれたコンテンツデータを書き換える必要があり、その作業は煩雑である場合がある。そのため、この動作例では、変更内容（例えば、部署名を「第一開発部」に変更、等）を示すデータ（以下「変更内容データ」という）が書き込まれたＩＣカード（以下「変更指示カード」という）を用意し、内容を書き換える必要のあるコンテンツデータが書き込まれているＩＣカード（以下「コンテンツカード」という）と重ねてリーダー・ライター２０にかざすことによって、コンテンツカードに格納されているコンテンツデータを変更指示データに従って変更する。
【００２１】
図５は、コンテンツ変更処理の流れを示すフローチャートである。図５に示す例では同時にかざされるＩＣカードは最大２枚であるものとする。作業者は、コンテンツカードと変更指示カードとを重ねてリーダー・ライター２０にかざす。リーダー・ライター２０は、近距離無線通信により２枚のＩＣカードと通信を行い、通信結果を示すデータ（検知したカードの種類やカードの枚数を示すデータ、等）を画像形成装置１０へ出力する。画像形成装置１０の制御部１２は、リーダー・ライター２０から出力されるデータに基づいて、読み取られるカードの枚数が１枚であるかを判定する（ステップＳ１）。カードの枚数が１枚でない場合は（ステップＳ１；Ｎ）、制御部１２は、リーダー・ライター２０から２枚分のカード情報を取得する（ステップＳ２）。
【００２２】
制御部１２は、取得した２枚分のカード情報にコンテンツカードが含まれるか否かを判定する（ステップＳ３）。コンテンツカードが含まれる場合には、制御部１２は、次いで、取得した２枚分のカード情報に変更指示カードが含まれるか否かを判定する（ステップＳ４）。変更指示カードが含まれる場合には（ステップＳ４；Ｙ）、制御部１２は変更指示カードから読み取られたデータを解釈し、変更指示の内容を特定する（ステップＳ５）。制御部１２は、特定した変更内容に基づいてコンテンツカードに書き込まれているコンテンツデータを変更し（ステップＳ６）、リーダー・ライター２０を制御し、変更したコンテンツデータをコンテンツカードに書き戻す（ステップＳ７）。具体的には、例えば、コンテンツカードに「部門名：第一開発部、氏名：山田太郎」を示すコンテンツデータが
書き込まれており、変更指示カードに「部門名：第１開発部を第二開発部に変更」を示す変更内容データが書き込まれている場合には、これらの２枚のカードが重ねてリーダー・ライター２０にかざされることにより、コンテンツカードのコンテンツデータが「部門名：第二開発部、氏名：山田太郎」に変更される。
【００２３】
次いで、制御部１２は、コンテンツカードに書き込まれているコンテンツデータを読み出し（ステップＳ８）、正しく書き込まれているかを照合する（ステップＳ９）。制御部１２は、データが正しく書き込まれている場合には（ステップＳ９；Ｙ）、コンテンツカードに書き込まれている処理内容データに基づいて処理を実行する（ステップＳ１０）。具体的には、例えば、コンテンツカードに書き込まれているコンテンツデータの表す画像について１００枚分、画像形成処理を行う、といった処理を実行する。一方、ステップＳ９においてコンテンツカードにデータが正しく書き込まれていない場合には（ステップＳ９；Ｎ）、制御部１２はＵＩ部１５にエラー表示を行う（ステップＳ１１）。
【００２４】
また、ステップＳ３においてコンテンツカードが含まれていないと判定された場合（ステップＳ３；Ｎ）や、ステップＳ４において変更指示カードが含まれていないと判定された場合（ステップＳ４；Ｎ）にも、制御部１２はＵＩ部１５にエラー表示を行う（ステップＳ１１）。
【００２５】
ところで、例えば複数の従業員の名刺においてその部署名を変更する場合、従来の装置では、一度に大量のＩＣカードに書き込まれているコンテンツデータを更新する必要があり、コストや手間がかかる場合があった。それに対しこの実施形態では、コンテンツカードに書き込まれたコンテンツデータの変更処理を行う際に、作業者がカードを２枚重ねて読み取らせるだけでよく、作業者が煩雑な操作を行う必要がない。また、この動作例では、変更処理とあわせてコンテンツデータの内容の照合処理も行われ、誤ったデータに対して処理が行われることが防止される。
【００２６】
なお、この動作例では、制御部１２がコンテンツデータを書き換えた後にコンテンツデータの内容の照合処理を行ったが、照合処理を必ずしも行う必要はない。また、この動作例では制御部１２がコンテンツデータを書き換えた後にコンテンツデータに対する画像処理（名刺の画像形成処理）を実行したが、コンテンツデータの書換処理を行った後に必ずしも画像処理を実行する必要はなく、コンテンツデータの書換処理のみを行うようにしてもよい。この場合、コンテンツカードに処理内容データが書き込まれている必要はなく、コンテンツカードにコンテンツデータのみが書き込まれていてもよい。
【００２７】
また、この動作例では２枚のＩＣカードを重ねて読み取らせる場合について説明したが、重ねて読み取らせるＩＣカードの枚数は２枚に限らず、これより多くてもよい。例えば、コンテンツカード２枚と変更指示カード１枚との計３枚を重ねて読み取らせるようにしてもよい。この場合、制御部１２は、変更指示カードに書き込まれている変更内容データに基づいて、２枚のコンテンツカードのそれぞれに書き込まれているコンテンツデータの書換処理を行うようにしてもよい。
【００２８】
［パラメータ変更処理］
次いで、作業者がＩＣカードを用いて画像処理を指示する際に、ＩＣカードに書き込まれた処理内容データの一部のパラメータを変更する処理について説明する。上述したコンテンツ変更処理においてはＩＣカードに記録されたコンテンツデータを書き換えたが、それに対しこの動作例では、ＩＣカードに書き込まれたデータを書き換えることなく、パラメータを一時的に変更して画像処理を実行する。以下の説明では、一例として、「ＦＡＸ（送信先：ＸＸＸ商事）を低画質で行う」という処理指示が書き込まれたＩＣカードがある場合に、このＩＣカードを用いて「ＦＡＸ（送信先：ＸＸＸ商事）を標準画質で行う」
という処理を実行する場合について説明する。
【００２９】
図６は、この動作例で用いられるＩＣカードの一例を示す図である。この動作例では、カードＡとカードＢとの２種類のカードが用いられる。カードＡは、処理内容データが書き込まれたカード（以下「指示書カード」という）である。図６に示す例では、カードＡには、画像処理の内容として「ＦＡＸ（送信先：ＸＸＸ商事）」を示すデータが書き込まれている。また、画像処理のパラメータとして、「画質：低画質」が設定されている。カードＡはこの１枚で画像形成装置１０に対して画像処理の実行を指示することが可能となっている。一方、カードＢは画像処理のパラメータの値を変更するためのカード（以下「パラメータ値変更カード」という）であり、図６に示す例では、「画質」のパラメータの値を「標準画質」に変更する旨を示すデータが書き込まれている。
【００３０】
この動作例では、１枚で画像処理の実行の指示を行うことができるカードＡと、画像処理のパラメータの一部を指定するカードＢとを重ねてリーダー・ライター２０にかざすことで、カードＡの画像処理をカードＢのパラメータ値で上書きして実行する。このように指示書カードとパラメータ値変更カードとを組み合わせて画像処理の指示を行うことで、少ないカードで多様な指示が行われ、指示書カードの枚数が削減される。
【００３１】
図７は、パラメータ変更処理の流れを示すフローチャートである。図７に示す例では同時にかざされるＩＣカードは最大２枚であるものとする。まず、作業者は、指示書カード（カードＡ）とパラメータ値変更カード（カードＢ）とを重ねてリーダー・ライター２０にかざす。リーダー・ライター２０は、近距離無線通信によりカードＡ、カードＢと通信を行い、カードＡ、カードＢから読み取ったカード情報を画像形成装置１０へ出力する。このカード情報にはカードの枚数を示す情報が含まれる。画像形成装置１０の制御部１２は、リーダー・ライター２０から出力されるカード情報に基づいて、読み取られたカードの枚数が１枚であるかを判定する（ステップＳ２１）。カードの枚数が１枚でない場合は（ステップＳ２１；Ｎ）、制御部１２は、カードの枚数が２枚であるかを判定する（ステップＳ２２）。カードの枚数が２枚である場合は（ステップＳ２２；Ｙ）、制御部１２は、２枚分のカードの情報を取得する（ステップＳ２３）。
【００３２】
制御部１２は、２枚のカードの組み合わせが「指示書カード（カードＡ）」と「パラメータ値変更カード（カードＢ）」であるかを判定し（ステップＳ２４）、「指示書カード」と「パラメータ値変更カード」の組み合わせである場合には（ステップＳ２４；Ｙ）、リーダー・ライター２０によって読み取られたデータに基づいて変更指示の内容を解釈し（ステップＳ２５）、「指示書カード」のパラメータを「パラメータ値変更カード」の変更パラメータの値に従って変更する（処理指示内容を合成する）（ステップＳ２６）。制御部１２は、変更した処理指示内容に従って処理を実行する（ステップＳ２７）。
【００３３】
一方、ステップＳ２２においてカードの枚数が２枚でないと判定された場合（ステップＳ２２；Ｎ）や、２枚のカードの組み合わせが「指示書カード（カードＡ）」と「パラメータ値変更カード（カードＢ）」の２枚でない場合（ステップＳ２４；Ｎ）には、制御部１２はＵＩ部１５にエラー表示を行う（ステップＳ２８）。また、ステップＳ２１においてカードの枚数が１枚であると判定された場合には、制御部１２はリーダー・ライター２０にかざされたカードの種類が「指示書カード（カードＡ）」であるかを判定する（ステップＳ２９）。カードの種類が「指示書カード」である場合には（ステップＳ２９；Ｙ）、制御部１２はこのカードから処理内容を読み取り、読み取った処理を実行する（ステップＳ２７）。一方、ステップＳ２９においてカードの種類が「カードＡ」でない場合には、制御部１２はＵＩ部１５にエラー表示を行う（ステップＳ３０）。
【００３４】
図８は、パラメータ変更処理の流れを示すシーケンスチャートである。作業者によって
指示書カードとパラメータ値変更カードとがリーダー・ライター２０にかざされると、リーダー・ライター２０は、近距離無線通信により指示書カード、パラメータ値変更カードと通信を行い、指示書カード、パラメータ値変更カードから読み取ったカード情報をリーダー・ライター制御部１２１へ供給する（ステップＳ３１）。このカード情報にはカードの枚数を示す情報が含まれる。リーダー・ライター制御部１２１は、リーダー・ライター２０を制御し、検知されたカードの枚数に基づいてカードに書き込まれているデータを読み取る（Ｓ３２、Ｓ３３）。リーダー・ライター制御部１２１は、読み取ったデータをカード情報管理部１２２に供給し（Ｓ３４、Ｓ３５）、カード情報管理部１２２が読み取られたデータをメモリに保持するとともにどの種類のカードが読み取られたかを状態管理部１２３に通知する（Ｓ３６、Ｓ３７）。
【００３５】
状態管理部１２３は、カード情報管理部１２２から通信されたカードの種類の組み合わせをチェックし（Ｓ３８）、組み合わせが適切である場合には指示書生成部１２４に指示書の合成を依頼する（Ｓ３９）。指示書生成部１２４は、状態管理部１２３からの依頼に基づいて、カード情報管理部１２２からカード情報（処理内容データ、パラメータ値）を取得し（Ｓ４０、４１）、取得した処理内容データに含まれるパラメータの値をパラメータ値変更カードから読み出したパラメータ値で変更し、パラメータ値を変更した画像処理を、処理制御部１２０に指示する（Ｓ４２）。処理制御部１２０は、指示書生成部１２４から指示された画像処理を実行する。
【００３６】
ところで、従来の装置では、ＩＣカードを用いて画像処理の指示を行う場合にその画像処理に係るパラメータを変更することができなかった。そのため、軽微な操作変更を行う場合であっても、必ず新たなＩＣカード発行工程が伴い作業効率が悪い場合があった。また、ＩＣカードの発行に伴ってカードが増えるため、カード管理が煩雑になる場合があった。それに対しこの動作例では、指示書カードとパラメータ値変更カードとの２種類のカードを組み合わせることによって、少ない枚数のカードで多様な指示が受け付けられる。
【００３７】
なお、この動作例では２枚のＩＣカードを重ねて読み取らせる場合について説明したが、重ねて読み取らせるＩＣカードの枚数は２枚に限らず、これより多くてもよい。例えば、指示書カード１枚とパラメータ値変更カード２枚との計３枚を重ねて読み取らせるようにしてもよい。この場合、指示書生成部１２４は、指示書カードに書き込まれている画像処理のパラメータの値を２枚のパラメータ値変更カードの各々に書き込まれている値に変更した画像処理を処理制御部１２０に指示するようにしてもよい。
【００３８】
また、この動作例では変更するパラメータとして「画質」を例示したが、パラメータはこれに限らず、例えば、コピーの部数やファクシミリの送信先等であってもよく、画像処理において用いられるパラメータであればよい。
【００３９】
［カード発行処理］
次いで、本実施形態に係るＩＣカードの発行処理の一例について説明する。この動作例では、データが何も書き込まれていないＩＣカードがリーダー・ライター２０にかざされた場合に、画像形成装置１０がカード発行モードへ移行し、ＩＣカードの発行処理（処理内容データの書込処理）を行う。
【００４０】
図９はカード発行処理の流れを説明するための図であり、図１０はカード発行処理の流れを示すシーケンスチャートである。まず、作業者Ｕは、データが何も書き込まれていないＩＣカード（以下「指示書生カード」という）をリーダー・ライター２０にかざす（図９の（ａ）、図１０のＳ５１）。リーダー・ライター２０はかざされたＩＣカードを検知し、検知したカード情報をリーダー・ライター制御部１２１へ供給する（図１０のＳ５２）。リーダー・ライター制御部１２１はカード情報を状態管理部１２３に供給し（Ｓ５３
）、状態管理部１２３はカード情報に基づいて読み取ったカードにデータが何も書き込まれていないかを判定する（Ｓ５４）。データが何も書き込まれていない場合には、状態管理部１２３は、カード発行モードへ移行し、ＵＩ制御部１２７に操作待ちである旨を示すメッセージの表示を指示する（Ｓ５５）。ＵＩ制御部１２７は状態管理部１２３からの指示に基づいてＵＩ部１５にメッセージを表示する。
【００４１】
図９の（ｂ）は、ＵＩ部１５に表示される画面の一例を示す図である。図９の（ｂ）に示す例では、「使用する機能を選択してください」といったメッセージが表示されるとともに、「コピー」、「ファックス」、「スキャナー」、等の画像処理の種別を選択するための画面が表示される。利用者は、ＵＩ部１５に表示される画面に基づいて、指示書生カードに登録したい機能を選択する操作を行う。利用者によって操作が行われると（Ｓ５６）、ＵＩ制御部１２７はＵＩ部１５から出力される操作情報を予め割り当てられたメモリに記憶する（Ｓ５７）。
【００４２】
利用者は操作を終えると再度指示書生カードをリーダー・ライター２０にかざす（図９の（ｃ）、図１０のＳ５８）。このことをトリガとして指示書生カードに処理内容データの書き込みが行われる。リーダー・ライター２０は検知したカード情報をリーダー・ライター制御部１２１に供給し（Ｓ５９）、リーダー・ライター制御部１２１はカード情報を状態管理部１２３に供給する（Ｓ６０）。状態管理部１２３はカード情報を判定し（Ｓ６１）、操作内容の転送をＵＩ制御部１２７に指示する（Ｓ６２）。ＵＩ制御部１２７は指示書生成部１２４に操作内容を示すデータを供給し（Ｓ６３）、指示書生成部１２４はＵＩ制御部１２７から供給されるデータに基づいて処理内容データ（指示書）を生成し、生成した処理内容データを状態管理部１２３へ供給する（Ｓ６４）。
【００４３】
状態管理部１２３は処理内容データの指示書生カードへの書き込みをリーダー・ライター制御部１２１に指示し（Ｓ６５）、リーダー・ライター制御部１２１はリーダー・ライター２０を制御して処理内容データを指示書生カードへ書き込む（Ｓ６６）。書き込みの完了がリーダー・ライター２０から通知されると（Ｓ６７）、リーダー・ライター制御部１２１は状態管理部１２３へ書き込みの完了を通知し（Ｓ６８）、状態管理部１２３は書き込み完了メッセージの表示をＵＩ制御部１２７に指示する（Ｓ６９）。ＵＩ制御部１２７は状態管理部１２３からの指示に基づいて図９の（ｄ）に例示するような、書き込みが完了した旨を示すメッセージをＵＩ部１５に表示する。メッセージを確認すると利用者は処理内容データが書き込まれたＩＣカード（指示書カード）をリーダー・ライター２０から取り除く（Ｓ７０）。以上のようにして指示書カードの発行が行われる。
【００４４】
なお、この動作例では、カードの発行処理が開始されるトリガとして、何も書き込まれていないカードがかざされることによってカード発行モードへ移行する場合について説明したが、カード発行モードへの移行は上述した実施形態で示したものに限らない。例えば、カード発行モードへ移行させる特別なＩＣカードをかざすことでカード発行モードへ移行するようにしてもよい。また、カード発行モードへ移行する他の例として、例えば、画像形成装置１０のＵＩで作業者が指示することによってカード発行モードへ移行するようにしてもよい。
【００４５】
［カード内容確認・編集処理］
次いで、ＩＣカードに書き込まれた処理内容データの内容の確認や編集処理について説明する。この動作例では、画像形成装置１０をカード内容確認・編集モードにした状態で、処理内容データの書き込まれたＩＣカードをかざすと、ＵＩ部１５に処理内容が表示される。その際、利用者は処理内容を編集することができ、編集された内容はＩＣカードに書き込まれる。なお、編集を途中でキャンセルすることも可能である。
【００４６】
［カード内容確認・編集処理１］
図１１はカード内容確認・編集処理の流れを示すフローチャートである。まず、利用者は、画像形成装置１０においてＵＩ部１５に設けられたカード内容確認ボタンを押下し、内容確認モードに移行させる。制御部１２は、ＵＩ部１５から出力される操作情報に基づいて内容確認モードに移行する（ステップＳ７１）。利用者は、内容を確認・編集したいＩＣカードをリーダー・ライター２０にかざす。リーダー・ライター２０はかざされたカードを検知し（ステップＳ７２）、制御部１２はリーダー・ライター２０からカード情報を取得する（ステップＳ７３）。制御部１２は、取得されたカード情報に基づいて、ＩＣカードに登録されていた処理内容をＵＩ部１５に表示する（ステップＳ７４）。
【００４７】
図１２の（ａ）はＵＩ部１５に表示される画面の一例を示す図である。図１２の（ａ）に示す例では、処理種別として「コピー」が指定されているとともに、「部数」のパラメータ値として「１」が、「原稿サイズ」のパラメータ値として「Ａ４」が設定されている例を示している。利用者は、この画面によってＩＣカードに登録されている処理内容の確認が容易になる。また、図１２の（ａ）に示す画面において、利用者はＵＩ部１５を操作して処理内容を編集することができる（ステップＳ７５）。例えば、図１２の（ａ）に示す画面において利用者が「部数」のパラメータを選択すると、図１２の（ｂ）に示される画面に遷移する。利用者は図１２の（ｂ）に示す画面において部数のパラメータ値の入力を行う。利用者はパラメータ値の入力を行い、「決定」ボタンを押下する。なお、利用者は「キャンセル」ボタンを押下して処理をキャンセルしてもよい。
【００４８】
制御部１２は処理内容データ（指示書）の内容を編集する指示があったかを判定し（ステップＳ７６）、指示があったと判定された場合に、ステップＳ７３で取得した処理内容データから変更されているかを判定する（ステップＳ７７）。処理内容データが変更されている場合には（ステップＳ７７；Ｙ）、制御部１２は処理内容データを編集し（ステップＳ７８）、ＩＣカードが再度検知されるまで待機する（ステップＳ７９）。ＩＣカードが再度検知されると、制御部１２はステップＳ７２で検知されたカードと同じカードが再度検知されたかを判定し（ステップＳ８０）、同じカードが検知された場合には（ステップＳ８０；Ｙ）編集後の処理内容データを書き込む（ステップＳ８１）一方、異なるカードが検知された場合には（ステップＳ８０；Ｎ）、ＵＩ部１５にエラー表示を行う（ステップＳ８２）。また、制御部１２はステップＳ７７において処理内容データが変更されていないと判定された場合にはその旨を示すメッセージをＵＩ部１５に表示する（ステップＳ８３）。
【００４９】
図１４は、カード内容確認・編集処理の流れを示すシーケンスチャートである。作業者がＵＩ部１５に設けられた確認・編集ボタンを押下する（Ｓ１１１）と、ＵＩ制御部１２７はその旨を状態管理部１２３に通知し（Ｓ１１２）、状態管理部１２３は確認・編集モードに移行する。状態管理部１２３は、確認・編集モードに応じた画面をＵＩ部１５に表示するようにＵＩ制御部１２７に指示する（Ｓ１１３）。
【００５０】
利用者が書き込まれている内容を確認したい指示書カードをリーダー・ライター２０にかざすと（Ｓ１１４）、リーダー・ライター２０はかざされたカードを検知し、検知したカードに書き込まれたカード情報を読み出してリーダー・ライター制御部１２１に出力する（Ｓ１１５）。リーダー・ライター制御部１２１はカード情報を状態管理部１２３に供給し、状態管理部１２３はカード情報を判定し（Ｓ１１７）、カード情報に含まれる処理内容データの示す処理内容をＵＩ部１５に表示するようにＵＩ制御部１２７に指示する（Ｓ１１８）。
【００５１】
利用者はＵＩ部１５に表示される画面に基づいて処理内容データの編集を行う（Ｓ１１９）。ＵＩ制御部１２７はＵＩ部１５から出力される操作情報に基づいて処理内容データ
の編集を状態管理部１２３に依頼する（Ｓ１２０）。状態管理部１２３は処理内容データの編集を指示書編集部１２５に依頼し（Ｓ１２１）、指示書編集部１２５は状態管理部１２３からの指示に基づいて処理内容データを編集し、編集した処理内容データを状態管理部１２３に供給する（Ｓ１２２）。状態管理部１２３は編集した処理内容データの示す処理内容をＵＩ部１５に表示するようにＵＩ制御部１２７に指示し（Ｓ１２３）、ＵＩ制御部１２７はＵＩ部１５に処理内容を表示する。
【００５２】
利用者がＵＩ部１５に表示される画面を確認し、「決定」ボタンを押下する等の操作を行って処理内容データの書き込みを指示すると（Ｓ１２４）、ＵＩ制御部１２７は処理内容データの書き込みを状態管理部１２３に依頼する（Ｓ１２５）。状態管理部１２３はリーダー・ライター制御部１２１に処理内容データの書き換えを指示し（Ｓ１２６）、リーダー・ライター制御部１２１はリーダー・ライター２０を制御して処理内容データの書換処理を行う（Ｓ１２７）。処理内容データの書換処理が完了すると、リーダー・ライター２０は書き換えが完了した旨をリーダー・ライター制御部１２１に通知する（Ｓ１２８）。リーダー・ライター制御部１２１は書き換えが完了した旨を状態管理部１２３に通知し（Ｓ１２９）、状態管理部１２３は書き換えが完了した旨を示すメッセージをＵＩ部１５に表示するようにＵＩ制御部１２７に指示する（Ｓ１３０）。ＵＩ制御部１２７は状態管理部１２３からの指示に基づいて書き換えが完了した旨を示すメッセージをＵＩ部１５に表示する。利用者は、ＵＩ部１５に表示される画面をみることで、書き換えの完了を把握し、指示書カードをリーダー・ライター２０から取り除く（Ｓ１３１）。
【００５３】
［カード内容確認・編集処理２］
次いで、カード内容確認・編集処理の他の動作例について説明する。図１３はカード内容確認・編集処理の流れを示すフローチャートである。上述の図１１に示した例では、ＵＩ部１５に設けられたカード内容確認ボタンが押下されることをトリガとして制御部１２がカード内容確認・編集処理を開始したが、図１３に示す例では、カード内容確認・編集モードへ移行させるためのＩＣカード（以下「モード移行カード」という）を用いて移行させる。
【００５４】
利用者は、登録されている内容を確認したい指示書カードと、モード移行カードとを重ねてリーダー・ライター２０に読み取らせる。リーダー・ライター２０によってカードが検知されると、制御部１２は検知されたカードの枚数が１枚であるかを判定する（Ｓ９１）。カードの枚数が１枚でない場合は（ステップＳ９１；Ｎ）、制御部１２は、リーダー・ライター２０から２枚分のカード情報を取得する（ステップＳ９２）。ステップＳ９２で取得されるカード情報には、指示書カードに書き込まれていた処理内容データが含まれる。
【００５５】
制御部１２は、取得した２枚分のカード情報に指示書カードとモード移行カードとが含まれるか否かを判定する（ステップＳ９３）。指示書カードとモード移行カードとが含まれる場合は（ステップＳ９３；Ｙ）、制御部１２は、内容確認モードに移行し（ステップＳ９４）、処理内容をＵＩ部１５に表示させる（ステップＳ９５）。利用者は、ＵＩ部１５に表示される画面を確認することで、指示書カードに登録されている処理内容が把握し易い。また、ＵＩ部１５に処理内容が表示されている状態において、利用者は、処理内容データ（指示書）を編集する操作を行うことが許可されている。
【００５６】
利用者によって処理内容データが編集される（ステップＳ９６）と、制御部１２は、処理内容データの編集指示が利用者によってなされたかを判定し（ステップＳ９７）、指示があったと判定された場合には、ステップＳ９２で取得された処理内容データから内容が変更されているかを判定し（ステップＳ９８）、内容が変更されていると判定された場合には（ステップＳ９８；Ｙ）、処理内容データ（指示書）を編集する（ステップＳ９９）。また、制御部１２は、指示書カードがリーダー・ライター２０によって再度検知されるまで待機する。リーダー・ライター２０によってＩＣカードが検知されると、制御部１２は、検知されたＩＣカードが指示書カードであるかを判定し（ステップＳ１００）、指示書カードであると判定された場合には（ステップＳ１００；Ｙ）、制御部１２は編集した処理内容データを指示書カードに書き込む（ステップＳ１０１）。一方、ステップＳ１００において検知されたカードが指示書カードでないと判定された場合には（ステップＳ１００；Ｎ）、制御部１２はＵＩ部１５にエラー表示を行う（ステップＳ１０２）。また、ステップＳ９３にいて検知されたカードが指示書カードとモード移行カードでないと判定された場合にも制御部１２はＵＩ部１５にエラー表示を行う（ステップＳ１０３）。また、ステップＳ９８において処理内容データが変更されていないと判定された場合には（ステップＳ９８；Ｎ）、制御部１２はその旨を示すメッセージをＵＩ部１５に表示する（ステップＳ１０４）。
【００５７】
一方、ステップＳ９１において検知されたカードが１枚であると判定された場合には（ステップＳ９１；Ｙ）、制御部１２は検知されたカードが指示書カードであるかを判定する（ステップＳ１０５）。指示書カードであると判定された場合には（ステップＳ１０５；Ｙ）、制御部１２は指示書カードに書き込まれていた処理内容データに基づいて画像処理を実行する（ステップＳ１０６）一方、検知されたカードがモード移行カードである場合には（ステップＳ１０６）、制御部１２はＵＩ部１５にエラー表示を行う（ステップＳ１０７）。
【００５８】
［実行履歴記録処理］
次いで、実行履歴記録処理について説明する。この処理は、作業者による作業（例えば、コピー作業、スキャン作業、等）の結果をＩＣカードに記録し、作業を管理する管理者が事後確認するものである。指示書カードを用いて作業者が作業を行う場合において、管理者が作業の完了を確認するには、作業の結果出力された成果物を検査しなければならず、その確認作業は煩雑である場合があった。そこで本実施形態では、作業者の作業結果を指示書カードに書き込み、事後確認する仕組みを提供することで、管理者による作業の確認を容易にする。
【００５９】
図１５は、実行履歴記録処理の流れを示すシーケンスチャートである。作業者は、指示書カードと作業記録用のＩＣカード（以下「記録カード」という）とをかさねてリーダー・ライター２０にかざすことによって作業を開始する。リーダー・ライター２０はかざされたカードを検知し、カード情報をリーダー・ライター制御部１２１に出力する（Ｓ１４１）。リーダー・ライター制御部１２１は、リーダー・ライター２０から通知されるカード情報に基づいてカードの読取を行い、（Ｓ１４２−１、…、Ｓ１４２−Ｎ）、読み取ったカード情報をカード情報管理部１２２に供給する（Ｓ１４３−１、…Ｓ１４３−Ｎ）。カード情報管理部１２２は、リーダー・ライター制御部１２１から供給されるカード情報に基づいてカード種別を判定し（Ｓ１４４、Ｓ１４５）、検知されたカードが指示書カードである場合にはその旨を状態管理部１２３に通知し（Ｓ１４６）、記録カードである場合にはその旨を状態管理部１２３に通知する（Ｓ１４７）。
【００６０】
状態管理部１２３はカード情報管理部１２２から通知された内容に基づいて処理監視部１２６に処理内容データを送信して画像処理を指示し（Ｓ１４８）、処理監視部１２６は処理内容データを処理制御部１２０に送信して画像処理を指示する。処理制御部１２０は処理監視部１２６からの指示に基づいて処理内容データの示す画像処理を開始する。このとき処理制御部１２０は処理を識別する処理ＩＤを発行し、処理監視部１２６に通知する（Ｓ１５０）。処理監視部１２６は処理制御部１２０から通知された処理ＩＤをカード情報管理部１２２に通知し（Ｓ１５１）、カード情報管理部１２２は通知された処理ＩＤを予め定められたメモリに格納するとともに記録カードへの処理ＩＤの書き込みをリーダー
・ライター制御部１２１に指示する（Ｓ１５２）。リーダー・ライター制御部１２１はカード情報管理部１２２からの指示に基づいてリーダー・ライター２０を制御して処理ＩＤを記録カードに書き込ませる。
【００６１】
また、処理監視部１２６は予め定められたタイミングで処理状態を処理制御部１２０に問い合わせる（Ｓ１５４）。処理制御部１２０は問い合わせの応答として実行状況を示す実行状況データを処理監視部１２６に送信し（Ｓ１５５）、処理監視部１２６は実行状況データを実行履歴としてカード情報管理部１２２のメモリに格納させる（Ｓ１５６）。カード情報管理部１２２はリーダー・ライター制御部１２１に実行状況データを送信し（Ｓ１５７）、リーダー・ライター制御部１２１はリーダー・ライター２０を制御して実行状況データを実行履歴として記録カードに書き込む（Ｓ１５８）。以上のようにして作業者による作業結果が記録カードに書き込まれる。
【００６２】
管理者は、作業者による作業結果を、記録カードに記憶されたデータの内容を確認することで把握が容易になる。データの確認の方法としては、例えば、カードリーダーが接続されたパーソナルコンピュータを用いて確認するようにしてもよく、また、例えばリーダー・ライター２０が接続された画像形成装置１０を用いて確認するようにしてもよい。
【００６３】
また、図１５に示す処理の途中で記録カードや指示書カードがリーダー・ライター２０から取り除かれた場合は、処理監視部１２６は処理の監視を中止するようにしてもよい。この場合、処理ＩＤが書き込まれた記録カードが再度リーダー・ライター２０にかざされた場合は、処理監視部１２６は処理の監視を再開するようにしてもよい。
【００６４】
なお、上述の動作例では、指示書カードと記録カードとの２種類のカードを用いるようにしたが、２種類のカードを用いるようにせず、指示書カードに作業結果を示すデータを書き込むようにしてもよい。
【００６５】
［変形例］
上述した実施形態は、本発明の一例であり、以下のように変形してもよい。また、以下の変形例は、互いに組み合わせてもよい。
【００６６】
（１）上述の実施形態では、画像形成装置１０とリーダー・ライター２０とがケーブルによって接続されるシステムについて説明したが、これに限らず、リーダー・ライターと画像形成装置とが無線通信によりデータの遣り取りを行うものであってもよい。また、リーダー・ライターが画像形成装置１０に内蔵される構成であってもよい。また、上述の実施形態では、近距離無線通信によってＮＦＣタグの読み取りを行うリーダー・ライター２０を用いたが、リーダー・ライター２０の構成はこれに限らず、カード等の媒体から処理内容データ等の各種の情報を読み取り得るものであればよい。
【００６７】
（２）上述の実施形態では、利用者が携帯可能な記憶媒体の一例としてＩＣカードを用いたが、本発明に係る利用者が携帯可能な記憶媒体はＩＣカードに限定されるものではない。
【００６８】
（３）画像形成装置１０において実行されるプログラムは、インターネットなどの通信回線を介してダウンロードされてもよい。また、このプログラムは、磁気記録媒体（磁気テープ、磁気ディスクなど）、光記録媒体（光ディスクなど）、光磁気記録媒体、半導体メモリなどの、コンピュータが読取可能な記録媒体に記録した状態で提供されてもよい。
【符号の説明】
【００６９】
１…システム、１０…画像形成装置、１１…バス、１２…制御部、１３…通信部、１４…
記憶部、１５…ＵＩ部、１６…画像形成部、１７…画像読取部、２０…リーダー・ライター、１２０…処理制御部、１２１…リーダー・ライター制御部、１２２…カード情報管理部、１２３…状態管理部、１２４…指示書生成部、１２５…指示書編集部、１２６…処理監視部、１２７…ＵＩ制御部
【図１】
2018047708.tif 000003
【図２】
2018047708.tif 000004
【図３】
2018047708.tif 000005
【図４】
2018047708.tif 000006
【図５】
2018047708.tif 000007
【図６】
2018047708.tif 000008
【図７】
2018047708.tif 000009
【図８】
2018047708.tif 000010
【図９】
2018047708.tif 000011
【図１０】
2018047708.tif 000012
【図１１】
2018047708.tif 000013
【図１２】
2018047708.tif 000014
【図１３】
2018047708.tif 000015
【図１４】
2018047708.tif 000016
【図１５】
2018047708.tif 000017